(57)【要約】  【課題】    自転車用の雨具使用時に風の煽りを防止する自転車用の雨具止め器具を開発し、雨具と運転者との間に空間を作り、使い心地のよい実用新案の雨具などが有効に使用できるようにする。  【解決手段】    自転車の前部、ハンドルの下の車体フレームに取り付ける合成樹脂、金属等でＴ字型に成型した部品で、Ｔ字の垂直部上部先端、Ｔ字の水平部を前輪の泥除けステー後方手前数センチメートルとなるようにし、Ｔ字の垂直部下部はＴ字の水平部が車体フレームに対し垂直の位置関係になるように車体フレームに固定するようにしたもので、Ｔ字の水平部は概ね人体の幅に合わせた長さとし、両端を含む数箇所に雨具を止め、外しが出来るように雨具と相互にマジックテープ（登録商標）、ホック、フック、紐等を取り付け、雨具を固定することを特徴とする自転車用の雨具止め器具を発明する。【選択図】        図１
2010111238.tif 000002
【特許請求の範囲】
【請求項１】
自転車ハンドル軸下、前輪泥よけステーの後方辺りを覆う雨具の部分を止める合成樹脂、金属等でＴ字型に成型した自転車用の雨具止め器具で、該自転車用の雨具止め器具はＴ字の垂直部下部をＴ字の水平部が車体フレームに対して垂直なねじれの位置関係にして各種の車体フレームの形状に合わせ車体フレームに取り付けられるようにし、Ｔ字の垂直部上部先端が前輪泥除けステー後方数センチメートル手前になるように取り付け位置の調整や長さ調整ができる構造で、Ｔ字の水平部は前輪の泥よけステーに当たらないように平面またはハンドルをきったときの泥除けステーの軌跡に合わせ湾曲した曲面にし、水平部左右間幅は、人体の幅、３５ｃｍ前後として、両端を含む数箇所に被装着の雨具と相互に雨具を止め、外しができるマジックテープ（登録商標）、ホック、フック、紐等を取り付けて雨具を固定することを特徴とした自転車用の雨具止め器具
【請求項２】
前輪泥よけステーの上部後方辺りを覆う雨具の部分と前輪泥よけステーの下部後方辺りとを覆う雨具の部分を止めるなど、請求項１の雨具止め器具を複数用いて止める自転車用の雨具止め器具
【請求項３】
自転車ハンドル軸後方辺りを覆う雨具の部分を止めるため、Ｔ字の垂直部上部先端がハンドル軸後方になるように請求項１の雨具止め器具を車体フレームに対し反対側に取り付けるようにした自転車用の雨具止め器具
【発明の詳細な説明】
【技術分野】
【０００１】
本発明は、自転車の付属部品として雨具に使用する自転車用の雨具止め器具に関する。
【背景技術】
【０００２】
従来の自転車で、雨に対応するため、レインコートや、上下の合羽を着用し、雨に濡れないようにしている。レインコートや上下の合羽を着用する不便さと不快さ、着替えのわずらわしさから傘を使う人がまだいる。比較的使いやすいポンチョなどは風に煽られ濡れる等の欠点がある。実登新案登録３１１３７３５号でハンドルから体全体を覆う雨具を提案しているが自転車では雨具を止めるものがなく風に煽られ濡れてしまう、雨具が体にまとわりついて不快など不便である。雨具の裾部を止めるのに靴の先端で止める特開２００１−１９２９０が、雨具の前部をカゴに固定できるように洗濯バサミを取り付けた特開２００６−２１４０６７などが提案されている。しかし、雨具を止めるため自転車車体フレームに取り付ける専用の雨具止め器具は今のところない。
【特許文献１】特開２００６−２１４０６７
【特許文献２】特開２００１−１９２９１０
【発明の開示】
【発明が解決しようとする課題】
【０００３】
従来の自転車用に使用する雨具は身体に密着するため、雨で濡れた感じが身体に伝わり、不快さを感じるため使い心地が良いとはいえない。雨具を着たり、脱いだりすることのわずらわしさと雨具着用時の不快さから雨具着用を嫌い、傘をさして運転する人がいて危険である。雨具と運転者との間に空間を作り不快さを解消、走行時の風の煽りに対して雨具を止める自転車用の雨具止め器具を開発し、実用新案の雨具などが有効に使用できるようにする。
【課題を解決するための手段】
【０００４】
自転車ハンドル軸下、前輪泥よけステーの後方辺りを覆う雨具の部分を止める合成樹脂、金属等でＴ字型に成型した自転車用の雨具止め器具で、該自転車用の雨具止め器具はＴ字の垂直部下部をＴ字の水平部が車体フレームに対して垂直なねじれの位置関係にして各種の車体フレームの形状に合わせ車体フレームに取り付けられるようにし、Ｔ字の垂直部上部先端が前輪泥除けステー後方数センチメートル手前になるように取り付け位置の調整や長さ調整ができる構造で、Ｔ字の水平部は前輪の泥よけステーに当たらないように平面またはハンドルをきったときの泥除けステーの軌跡に合わせ湾曲した曲面にし、水平部左右間幅は、人体の幅、３５ｃｍ前後として、両端を含む数箇所に被装着の雨具と相互に雨具を止め、外しができるマジックテープ（登録商標）、ホック、フック、紐等を取り付けて雨具を固定することを特徴とした自転車用の雨具止め器具と前輪泥よけステーの上部後方辺りを覆う雨具の部分と前輪泥よけステーの下部後方辺りとを覆う雨具の部分を止めるなど、請求項１の雨具止め器具を複数用いて止める自転車用の雨具止め器具を発明する。
【発明の効果】
【０００５】
よって、使い心地のよい実用新案の雨具などと合わせて本発明の自転車用の雨具止め器具を自転車に装着することにより、簡単に確実に防雨ができ、今までの雨具の使用時のわずらわしさや不快感は解消、雨での走行が快適になるため自転車で傘をさして走行する人が減り、危険性が小さくなる。
【発明を実施するための最良の形態】
【０００６】
ペダルを踏んだ足が自転車用の雨具止め器具に当たらないよう雨具止め器具とペダルとの間隔を出来るだけ取るために雨具止め器具のＴ字の水平部分を前輪の泥除けステーの軌跡に合わせ湾曲させた曲面にする。雨具止め器具をそれぞれ不使用時は簡易に着脱できるようにして自転車荷台等に装備するようにするか、雨具止め器具水平部の左右を車体フレーム側に折りたたみできるようにすると通常走行時に邪魔にならない。折りたたみ機構は簡易にできるラチェット機構、ストッパーなどを用いるとよい。雨具止め器具のＴ字の垂直部下部の車体フレーム取り付け部は自転車により車体フレームの形状が異なるため各種の自転車の車体フレームに対応できるようにする。Ｔ字の垂直部の長さはＴ字の垂直部上部先端が各前輪泥よけステーの後方手前数センチになるように各種の自転車の車体フレームに対して長さ調整や取り付け位置が調整できる機能を持つようにする。またＴ字の垂直部とＴ字の水平部の面とのなす仰角を調整できるようにすると、雨具を止める各部が進行方向の風に対し垂直にできるため雨具が剥がれにくくなり雨具止めの効果がよくなる。尚車体フレームに対して反対側に取り付けた請求項３の雨具止め器具は一般の雨具、ポンチョ等にマジックテープ（登録商標）、ホック、フック、紐等を取り付けることで一般の雨具、ポンチョ等を簡易に固定することができる。
【産業上の利用可能性】
【０００７】
本発明による自転車用の雨具止め器具は、雨具を固定、取り外しが簡単、咄嗟の雨でも対応できるので、利用する人が増え、特に雨の時、自転車で傘をさして運転する人が減少し、危険性を回避できると思われる。運転操作上の安全性も従来の雨具着用に近く、工業的にも量産することが可能であるため、産業上の利用可能性を有する。  
【図面の簡単な説明】
【０００８】
【図１】請求項１を複数用いた請求項２の自転車用雨具止め器具の図。
【図２】請求項１のＴの字の水平部を広い曲面とした自転車用の雨具止め器具の図。
【図３】請求項１の自転車用の雨具止め器具を折りたたんだ図。
【図４】自転車用の雨具止め器具を用い自転車用雨具を使用した図。
【符号の説明】
【０００９】
１  請求項１の自転車用の雨具止め器具
２  請求項１の自転車用の雨具止め器具
３  自転車用の雨具止め器具Ｔの字の垂直部
４  自転車用の雨具止め器具Ｔの字の水平部  
５  自転車用の雨具止め器具車体本体フレーム取り付け部
６  自転車用の雨具止め器具折りたたみ部
７  自転車車体フレーム
８  雨具止め、外し部品・マジックテープ（登録商標）、フック、ボタン、紐等
９  ハンドル軸
１０  前輪泥除けステー  
１１  自転車用雨具
１２  請求項１の自転車用の雨具止め器具
【図１】
2010111238.tif 000003
【図２】
2010111238.tif 000004
【図３】
2010111238.tif 000005
【図４】
2010111238.tif 000006